(57)【要約】【課題】外蓋を開閉することにより内蓋を介して内容器を開閉でき、かつ外蓋を閉じた時に内蓋を介して内容器を密封することができる開閉密封容器を提供することにある。【解決手段】容器本体２と、容器本体２内に設けた内容器３と、内容器３の上部開口を開閉する内蓋４と、内蓋４を介して容器本体２の上部を開閉する外蓋５とからなり、前記外蓋５の後部と内蓋４の後部とは回転自在に連結され、かつ、外蓋５の後部は容器本体２に回転自在に係止され、外蓋５の開閉によって内容器３の上部開口を内蓋４で開閉でき、かつ、外蓋５を閉じる時に前記内蓋４を連動させて内容器３の上部開口を内蓋４で密封できるようにした構成にしてある。【選択図】  図１
2005187014.tif 000002
【特許請求の範囲】
【請求項１】
容器本体と、容器本体内に設けた内容器と、内容器の上部開口を開閉する内蓋と、内蓋を介して容器本体の上部を開閉する外蓋とからなり、前記外蓋の後部と内蓋の後部とは回転自在に連結され、かつ、外蓋の後部は容器本体に回転自在に係止され、外蓋の開閉によって内容器の上部開口を内蓋で開閉でき、かつ、外蓋を閉じる時に前記内蓋を連動させて内容器の上部開口を内蓋で密封できるようにしたことを特徴とする密封開閉容器。
【請求項２】
外蓋は外上蓋部とこの外上蓋部に対して直角に一体形成された後部係止片とからなり、内蓋は内上蓋部とこの内上蓋部に対して直角に一体形成された後部係合片とからなり、前記外蓋の後部係止片と内蓋の後部係合片とは係合して回転自在に内蓋枢支点で連結され、かつ、容器本体の後部上側には、前記係合する外蓋の後部係止片と内蓋の後部係合片とを収納する凹部が形成され、さらに、外蓋の後部係止片は容器本体の凹部の両側に回転自在に外蓋枢支点で係止され、かつ、外蓋を閉じたときの内蓋枢支点の位置は、外蓋枢支点の位置より下になるように構成されていることを特徴とする請求項１記載の密封開閉容器。
【請求項３】
容器本体内の前部寄りに内蓋掛止部を形成し、この内蓋掛止部の位置する内容器の上部鍔部の箇所に係止穴部を形成し、この係止穴部に対応する内蓋の前部に係止突片部を形成し、外蓋を閉じる時に、内蓋の係止突片部が前記係止穴部に嵌り込むとともに、外蓋と連動して内蓋が後退し、内蓋の係止突片部が容器本体内の内蓋掛止部に着脱可能に掛止する構成を特徴とする請求項１または２記載の密封開閉容器。
【請求項４】
容器本体の前部に本体側係止部を形成し、外蓋を閉じた時に、容器本体の本体側係止部に係止する外蓋側係止部を外蓋の前部に形成したことを特徴とする請求項１、２または３記載の密封開閉容器。
【請求項５】
内容器の容器部の上端外周部に当接する内蓋の箇所に、幅方向に貫通する孔を形成したパッキンを設けたことを特徴とする請求項１、２、３または４記載の密封開閉容器。
【発明の詳細な説明】
【技術分野】
【０００１】
この発明は、クリーム状やパウダー状の化粧品をはじめ各種の物を入れる密封開閉容器に関するものである。
【背景技術】
【０００２】
従来から化粧クリーム等を入れる容器としては各種のものが開発され使用されている。例えば化粧クリーム入れる容器として、蓋を容器本体にねじ付けて取り付けるものでは、容器本体の上部外周に雄ねじが形成されていて、蓋の内部外周に形成された雌ねじをねじ合わせて容器本体を閉じたり、また、容器本体を閉じた蓋を逆に回して容器本体から外して上部開口を開ける構成のものであった。
【０００３】
また、別の容器としては、蓋の内周面に形成した係止部を、容器本体の上部外周に形成した嵌合部に嵌め合わせて容器本体の上部開口を蓋で閉じる構成のものである。この容器では、蓋を開ける時に、蓋を強くねじて嵌合関係を解除して開けている。
【０００４】
前記した例の他に本発明に関連する特許文献としては次のような文献がある。
【特許文献１】特開２００２−３１５６２２号公報
【特許文献２】特開２００２−２７２５３０号公報
【特許文献３】特開２００２−０６５３５５号公報
【発明の開示】
【発明が解決しようとする課題】
【０００５】
前記した従来のような、蓋をねじて容器本体を開閉する容器や、蓋を容器本体に嵌着する容器では、その都度、蓋をねじて開閉したり、力を入れて嵌着状態を解除して蓋を外さねばならず煩わしかった。また、蓋が固く閉じて開け辛いこともあり、蓋を開けるのに手間取ったり、握力の弱い人や手の不自由な人では開閉しづらいといった問題があった。さらに、容器本体を蓋で閉じた際の密封状態も必ずしも完全ではなかった。
【０００６】
本発明は前記のような点に鑑みて開発したものである。その目的とするところは、外蓋を開閉することにより内蓋を介して内容器を、誰でも確実にかつ容易にすばやく開閉でき、また、外蓋を閉じた時に内蓋を介して内容器を密封することができる開閉密封容器を提供することにある。
【課題を解決するための手段】
【０００７】
請求項１に記載の本発明の密封開閉容器は、容器本体と、容器本体内に設けた内容器と、内容器の上部開口を開閉する内蓋と、内蓋を介して容器本体の上部を開閉する外蓋とからなり、前記外蓋の後部と内蓋の後部とは回転自在に連結され、かつ、外蓋の後部は容器本体に回転自在に係止され、外蓋の開閉によって内容器の上部開口を内蓋で開閉でき、かつ、外蓋を閉じる時に前記内蓋を連動させて内容器の上部開口を内蓋で密封できるようにしたことを特徴とする構成にしてある。
【０００８】
請求項２に記載の本発明の密封開閉容器は、請求項１記載の密封開閉容器の構成において、外蓋は外上蓋部とこの外上蓋部に対して直角に一体形成された後部係止片とからなり、内蓋は内上蓋部とこの内上蓋部に対して直角に一体形成された後部係合片とからなり、前記外蓋の後部係止片と内蓋の後部係合片とは係合して回転自在に内蓋枢支点で連結され、かつ、容器本体の後部上側には、前記係合する外蓋の後部係止片と内蓋の後部係合片とを
収納する凹部が形成され、さらに、外蓋の後部係止片は容器本体の凹部の両側に回転自在に外蓋枢支点で係止され、かつ、外蓋を閉じたときの内蓋枢支点の位置は、外蓋枢支点の位置より下になるように構成されていることを特徴とする構成にしてある。
【０００９】
請求項３に記載の本発明の密封開閉容器は、請求項１または２記載の密封開閉容器の構成において、容器本体内の前部寄りに内蓋掛止部を形成し、この内蓋掛止部の位置する内容器の上部鍔部の箇所に係止穴部を形成し、この係止穴部に対応する内蓋の前部に係止突片部を形成し、外蓋を閉じる時に、内蓋の係止突片部が前記係止穴部に嵌り込むとともに、外蓋と連動して内蓋が後退し、内蓋の係止突片部が容器本体内の内蓋掛止部に着脱可能に掛止する構成を特徴とする構成にしてある。
【００１０】
請求項４に記載の本発明の密封開閉容器は、請求項１、２または３記載の構成において、容器本体の前部に本体側係止部を形成し、外蓋を閉じた時に、容器本体の本体側係止部に係止する外蓋側係止部を外蓋の前部に形成したことを特徴とする構成にしてある。
【００１１】
請求項５に記載の本発明の密封開閉容器は、請求項１、２、３または４記載の密封開閉容器の構成において、内容器の容器部の上端外周部に当接する内蓋の箇所に、幅方向に貫通する孔を形成したパッキンを設けたことを特徴とする構成にしてある。
【発明の効果】
【００１２】
本発明の密封開閉容器では、開放した上蓋を上から軽く押えるようにして閉じることにより、内蓋も同時に閉じて容器本体内の内容器の上部開口の周囲に密着し、内容器を確実に密封することができる。また、内容器の上部開口を開ける場合も、上蓋を開けることによって内蓋が連動し、簡単に内蓋を開けることができて内容器内の充填物を素早く使用することができる。それ故に健常者は勿論のこと、握力の弱い人や手の不自由な人でも容易にかつ迅速に内容器の上部開口を開閉できて充填物を使用でき、使用後は外蓋を閉じることによって内蓋も簡単に閉じて内容器を密封することができる。そして内容器の充填物は内蓋と外蓋との二重の蓋で閉じられることになり、より確実に内容器を封じることができる。
【発明を実施するための最良の形態】
【００１３】
図１〜図２１は本発明を実施するための最良の形態の一例の密封開閉容器に関する図であって、図示の密封開閉容器１は、容器本体２と、内容器３と、内蓋４と、外蓋５等によって構成され、前記の容器本体２等の個々の部品は樹脂成型によって形成されている。
【００１４】
より具体的に説明すると、容器本体２は上部を開口した有底の四角短筒形状であって、
前部２ａの中央上部には内側に横長な長方形状の窪み部６が形成されている。この窪み部６の上部中央には、横長凸状の本体側係止部７が形成されている。また、窪み部６の両側近傍の容器本体２内の前部２ａ寄りには、掛止片部８(図７参照)を上部の前部２ａ側に形成した薄い直方体状の内蓋掛止部９が形成されている。一方、容器本体２の後部２ｂ側の中央上部には、横長な長方形状の窪み状の凹部１０が内側に突出するように形成されている。前記の容器本体２内には内容器３が設けられている。
【００１５】
内容器３は、分離可能な二重構造の有底円筒状の容器部１１と、略四角形状の上部鍔部１２とからなり、容器部１１の上端近傍の外側に上部鍔部１２を形成したものである。上部鍔部１２は、容器本体２の上部開口を被うようにした容器本体２に嵌合して取り付けられている。容器部１１は、容器本体２の深さより僅かに浅く、容器本体２の中央に位置するように収納されている。また、前記した容器本体２内の各内蓋掛止部９の位置する上部鍔部１２の箇所には、それぞれ係止穴部１３が形成されている。各係止穴部１３の大きさは、後述する内蓋４の係止突片部１４(図１１〜１３参照)を出し入れできる大きさである。
【００１６】
内蓋４(図１３参照)は、前記内容器３の上部全体を被う四角形状の内上蓋部１５と、内上蓋部１５の前部に直角に一体形成した係止突片部１４と、内上蓋部１５の後部に一体形成した後部係合片１６と、内上蓋部１５の内面に固着して前記容器部１１の上端外周部１８に密着する平たい輪状のゴムパッキン１７(図１１参照)とからなる。ゴムパッキン１７には幅方向に貫通する孔１７ａ(図２０、２１参照)が形成してある。勿論、パッキンは前記した孔を有さない環状の弾力性のある部材のものであってもよい。
【００１７】
係止突片部１４は、先端の内側にフック１９を備え、内蓋４を閉じたときに容器本体２内の掛止片部８(図１９参照)に掛止できるようにしてある。
【００１８】
後部係合片１６は、内上蓋部１５の後部中央に形成され、外面２０は平坦で内蓋４を閉じたときに(図１１参照)、容器本体２の後部外面２１並びに閉じた外蓋５の後部外面２２と面一になるように形成してある。また、内部側２３は湾曲形成してある。この後部係合片１６(図１０、図１４参照)は、両側部を各連結軸２４（内蓋枢支点となる）を介して外蓋５の後部係止片２５に回転可能に連結してある。
【００１９】
外蓋５(図２〜図５参照)は、外上蓋部２６と、この外上蓋部２６に対して直角に一体形成した後部係止片２５と、前部の中央に形成した外蓋側係止部２７とを一体に形成したものである。
【００２０】
外上蓋部２６は、平面視で容器本体２と同じ大きさの四角形状であって、容器本体２の上部開口を開閉することができ、外周に外周枠２６ａを有している。外周枠２６ａの前部側の中央の下部には、外周枠２６ａの下端から少し突出するようにして横長長方形状の外蓋側係止部２７が形成されている。外蓋側係止部２７の厚さは外周枠２６ａと同等または少し厚いように形成され、内面側の中央には横長線状の係止凸部２７ａが形成されている。この係止凸部２７ａは、外蓋５を閉じた時に、容器本体２の前部に形成した本体側係止部７を一旦乗り越えて係止する(図１１参照)。
【００２１】
後部係止片２５は、外蓋５の後部の両側近傍に、外周枠２６ａの下端から延設するように形成されている。外面２２(図１１参照)は、平坦で外蓋５を閉じたときに容器本体２の後部外面２１並びに閉じた内蓋４の外面２０と面一になるように形成してある。また、内部側２８(図３参照)は湾曲形成してある。この各後部係止片２５は、両側部を各連結軸２９（外蓋枢支点となる）を介して容器本体２の後部の凹部１０の両側に回転可能に連結してある(図１０参照)。両後部係止片２５の間には(図１０参照)、前記した内蓋４の後部係合片１６が係合する。外蓋５の両後部係止片２５と内蓋４の後部係合片１６とは、前記したように各連結軸２４（内蓋枢支点となる）で回転可能に連結されている。
【００２２】
また、容器本体２に対する外蓋５の後部係止片２５の外蓋枢支点（各連結軸２９の位置）は、外蓋５の後部係止片２５と連結した内蓋４の内蓋枢支点（各連結軸２４の位置）より上に位置している(図１０、図１８参照)。
【００２３】
前記のような構成からなる密封開閉容器１では、内容器３内に所望の化粧クリーム等の充填物を入れ、上蓋５を閉じることにより、内容器３はゴムパッキン１７を介して内蓋４で密封される。また、上蓋５を開けることによって作動する内蓋４は内容器３に対する密封状態を解除し、内蓋４を指で挟んで持ち上げて内容器３を開口することにより、内容器３内の充填物を取り出すことができる。
【００２４】
そこで、前記した上蓋５を開閉したときの各部の動作についてさらに詳述する(図１０、図１１、図１４〜図２１参照)。先ず上蓋５が完全に開けられた状態について説明すると、この完全に開けられた状態とは、上蓋５が容器本体２の上面に対して９０°或いは９１°以上に開いた状態であり(図１２参照)。上蓋５が容器本体２の上面に対して９０°開いた状態に保持させたいのであれば、上蓋５を９０°開いた時に後部係止片２５の下端部２５ａが凹部１０の前面に当る大きさに形成しておけばよい。
【００２５】
この上蓋５が完全に開く過程で、上蓋５の後部係止片２５は、連結軸２０を支点に回転し下端を凹部１０内の上方に移動させて水平状態になる。一方、上蓋５の後部係止片２５に連結軸２４を介して連結されている内蓋４の後部係合片１６は、上蓋５が開くのに伴って容器本体２の凹部１０内を上方に移動していく。このことにより内蓋４の後部が持ち上げられて内蓋４の後部下端は、容器本体２に取り付けた内容器３の上部鍔部１２から上方に離れ、ゴムパッキン１７を介して内蓋４で密封されていた容器部１１は少し開口される。この時、ゴムパッキン１７の孔１７ａは閉じた状態から開放されて容器部１１内に外気が流通し(図２０、２１参照)、容器部１１の上端外周部１８に対するゴムパッキン１７の密着状態をスムーズに解き離す。
【００２６】
さらに前記した内蓋４の後部下端の上方への移動によって内上蓋部１５全体も少し前方に移動する。このことにより内蓋４の係止突片部１４のフック１９も前方に移動し、容器本体２の内蓋掛止部９の掛止片部８に掛止していたフック１９は掛止状態を解除される。このようにした後に内蓋４の前部寄りの両側を指で挟んで持ち上げることにより、連結軸２４（内蓋枢支点）を支点に内蓋４は回転移動して容器部１１を開口する。
【００２７】
次に開けられた上蓋５を閉じて内蓋４で内容器３を密封する場合について説明すると、
例えば上蓋５の前部寄りの両側を指で挟み、連結軸２９（外蓋枢支点）を支点に容器本体2側に回転移動させる。このとき上蓋５の後部係止片２５は、前記したように上蓋５の開放によって水平の状態から連結軸２９（外蓋枢支点）を支点に回転して下端を凹部１０の下方に移動させる。
【００２８】
この動きに連動して、上蓋５の後部係止片２５に連結軸２４を介して連結されている内蓋４の後部係合片１６も、凹部１０内の下方に移動する。このことにより上蓋５の開放時に持ち上げられていた内蓋４の後部は引き下げられ、ゴムパッキン１７を介して容器部１１を内蓋４で密封することになる。前記した内蓋４の後部の引き下げに伴って内上蓋部１５全体も少し後方に移動する。このことにより内蓋４の係止突片部１４のフック１９は後方に移動し、フック１９は容器本体２の内蓋掛止部９の掛止片部８に掛止する。さらに上蓋５を完全に閉じることにより、上蓋５の外蓋側係止部２７の係止凸部２７ａが容器本体２の本体側係止部７に掛止して、容器本体２を上蓋５で完全にとじることができる。
【図面の簡単な説明】
【００２９】
【図１】本発明に係る１例の密封開閉容器の斜視図である。
【図２】本発明に係る外蓋の平面図である。
【図３】本発明に係る外蓋の側面図である。
【図４】本発明に係る外蓋の裏面図である。
【図５】図２のＡ−Ａ矢視の断面図である。
【図６】本発明に係る容器本体の平面図である。
【図７】図２のＢ−Ｂ矢視の断面図である。
【図８】本発明に係る容器本体の後部側を示す側面図である。
【図９】本発明に係る１例の密封開閉容器の平面図である。
【図１０】本発明に係る１例の密封開閉容器の裏面図である。
【図１１】図９のＣ−Ｃ矢視の断面図である。
【図１２】本発明に係る１例の密封開閉容器の外蓋を開けた状態の縦断面図である。
【図１３】本発明に係る１例の密封開閉容器の内蓋の側面図である。
【図１４】外蓋を完全に開放した状態の時の外蓋の後部係止片と内蓋の後部係合片との作動状態を示す説明図である。
【図１５】図１４の状態の時における内蓋の係止突片部の容器本体の係止部に対する作動状態を示す説明図である。
【図１６】外蓋を開放した状態の時における外蓋の後部係止片と内蓋の後部係合片との作動状態を示す説明図である。
【図１７】図１６の状態の時における内蓋の係止突片部の容器本体の係止部に対する作動状態を示す説明図である。
【図１８】外蓋を閉じた状態の時における外蓋の後部係止片と内蓋の後部係合片との作動状態を示す説明図である。
【図１９】図１８の状態の時における内蓋の係止突片部の容器本体の係止部に対する作動状態を示す説明図である。
【図２０】内蓋を閉じた時のパッキンに状態を示す説明図である。
【図２１】内蓋を開放した時のパッキンに状態を示す説明図である。
【符号の説明】
【００３０】
１      密封開閉容器
２      容器本体
３      内容器
４      内蓋
５      外蓋
６      窪み部
７      本体側係止部
９      内蓋掛止部
１０    凹部
１２    上部鍔部
１３    係止穴部
１４    係止突片部
１５    内上蓋部
１６    後部係合片
１７    パッキン
１７ａ  貫通する孔
１８    上端外周部
２４    連結軸（内蓋枢支点）
２６    外上蓋部
２９    連結軸（外蓋枢支点）
【図１】
2005187014.tif 000003
【図２】
2005187014.tif 000004
【図３】
2005187014.tif 000005
【図４】
2005187014.tif 000006
【図５】
2005187014.tif 000007
【図６】
2005187014.tif 000008
【図７】
2005187014.tif 000009
【図８】
2005187014.tif 000010
【図９】
2005187014.tif 000011
【図１０】
2005187014.tif 000012
【図１１】
2005187014.tif 000013
【図１２】
2005187014.tif 000014
【図１３】
2005187014.tif 000015
【図１４】
2005187014.tif 000016
【図１５】
2005187014.tif 000017
【図１６】
2005187014.tif 000018
【図１７】
2005187014.tif 000019
【図１８】
2005187014.tif 000020
【図１９】
2005187014.tif 000021
【図２０】
2005187014.tif 000022
【図２１】
2005187014.tif 000023